(57)【要約】【課題】外部からの調光信号に応じて光出力を制御するインバータ式の放電灯点灯装置において、定格電力は異なるが、定格電流は同じである少なくとも２種類以上の放電灯負荷の光出力を同一の比率で調光制御できるようにする。【解決手段】外部から入力される調光信号に応じて光出力を制御する調光機能を有し、放電灯の点灯状態を検出した信号を制御回路にフィードバックして制御する放電灯点灯装置であって、対象となる一灯の放電灯のランプ電流のみが流れる経路に挿入した固定抵抗器によりランプ電流と比例した検出電圧を得て制御回路にフィードバックし、その検出電圧が上記調光信号ないし調光信号から生成される電位に比例するように調光され、制御回路の調光動作が連続的に発振しているインバータ回路の発振周波数を変動させることで光出力を変化させる。【選択図】　　　　図１
2004087327.tif 000002
【特許請求の範囲】
【請求項１】
外部から入力される調光信号に応じて光出力を制御する調光機能を有し、放電灯の点灯状態を検出した信号を制御回路にフィードバックして制御する放電灯点灯装置であって、対象となる一灯の放電灯のランプ電流のみが流れる経路に挿入した固定抵抗器によりランプ電流と比例した検出電圧を得て制御回路にフィードバックし、その検出電圧が上記調光信号ないし調光信号から生成される電位に比例するように調光され、制御回路の調光動作が連続的に発振しているインバータ回路の発振周波数を変動させることで光出力を変化させることを特徴とする放電灯点灯装置。
【請求項２】
請求項１において、出力側に昇圧トランスを具備し、固定抵抗器を昇圧トランスの２次側に挿入したことを特徴とする放電灯点灯装置。
【請求項３】
請求項１または２において、固定抵抗器によって得た交流電圧の信号を整流するダイオードを具備し、放電灯を流れるランプ電流を直流電圧に変換して検出することを特徴とする放電灯点灯装置。
【請求項４】
請求項３において、固定抵抗器によって得た交流電圧の信号を整流するダイオードにショットキーバリアダイオードを用いたことを特徴とする放電灯点灯装置。
【請求項５】
請求項１〜４のいずれかにおいて、固定抵抗器または固定抵抗器とダイオードによって得た電圧を入力するオペアンプを具備し、オペアンプの出力を制御回路部に入力してランプ電流をフィードバック制御することを特徴とする放電灯点灯装置。
【請求項６】
請求項５において、固定抵抗器によって得たランプ電流の検出電位を入力したオペアンプが電圧フォロアを構成し、この電圧フォロアの出力を制御回路部に入力してランプ電流をフィードバック制御することを特徴とする放電灯点灯装置。
【請求項７】
請求項５において、ランプ電流の検出電位を入力したオペアンプにより理想ダイオードを構成し、その出力を制御回路部に入力してランプ電流をフィードバック制御することを特徴とする放電灯点灯装置。
【請求項８】
請求項１〜７のいずれかにおいて、ランプ電流の検出電位に調光段階に関わらず一定の直流電位を加算させることを特徴とする放電灯点灯装置。
【請求項９】
請求項８において、一定の直流電位をオペアンプにより加算することを特徴とする放電灯点灯装置。
【請求項１０】
請求項８または９において、加算する直流電位の大きさを調整する手段を有することを特徴とする放電灯点灯装置。
【請求項１１】
請求項１〜１０のいずれかに記載の放電灯点灯装置を器具本体に収納したことを特徴とする放電灯照明器具。
【発明の詳細な説明】
【０００１】
【発明の属する技術分野】
本発明は調光機能を有するインバータ式の放電灯点灯装置に関するものである。
【０００２】
【従来の技術】
外部からの調光信号に応じて光出力を制御するインバータ式の放電灯点灯装置においては、従来より放電灯の点灯状態を検出するのに出力電力として共振電流をモニターして制御回路にフィードバックすることで、インバータの動作周波数を制御し、所定の出力を得るものが存在する。こうしたフィードバック方式では、回路としての消費電力を制御の対象にしている関係上、放電灯負荷には単一の定格のものに用途が限定され、定格出力違いの負荷を使用すると光出力の調光曲線が同じにならない。
【０００３】
従来の放電灯点灯装置の回路図を図９に示す。この放電灯点灯装置は、スイッチング素子Ｑ１，Ｑ２を交互にオン・オフさせることにより高周波電圧を発生させるインバータ回路を備えており、インバータ回路の出力を昇圧トランスＴにより昇圧して放電灯Ｌａに印加している。インバータ回路の入力部には平滑コンデンサＣ１が設けられている。平滑コンデンサＣ１の負極は接地されている。平滑コンデンサＣ１の正極には第１のスイッチング素子Ｑ１の一端が接続されている。第１のスイッチング素子Ｑ１の他端には第２のスイッチング素子Ｑ２の一端が接続されている。第２のスイッチング素子Ｑ２の他端は検出用抵抗Ｒを介して平滑コンデンサＣ１の負極に接続されている。第１のスイッチング素子Ｑ１と第２のスイッチング素子Ｑ２の接続点には、直流成分カット用のコンデンサＣ２を介してインダクタＬ１の一端が接続されている。インダクタＬ１の他端はコンデンサＣ３を介して平滑コンデンサＣ１の負極に接続されている。インダクタＬ１とコンデンサＣ３は直列共振回路を構成している。コンデンサＣ３の両端には昇圧トランスＴの第１の巻線Ｎ１が接続されている。第１の巻線Ｎ１には昇圧用の第２の巻線Ｎ２が接続されている。第１の巻線Ｎ１と第２の巻線Ｎ２の接続点は平滑コンデンサＣ１の負極に接続されて接地されている。第１の巻線Ｎ１とインダクタＬ１の接続点は放電灯Ｌａの一端に接続されている。放電灯Ｌａの他端は第２の巻線Ｎ２の非接地側の端子に接続されている。
【０００４】
検出用抵抗Ｒにはインバータ回路に流れる電流に応じた電圧が発生する。この電圧は制御回路部のフィードバック端子に入力されている。制御回路部はスイッチング素子Ｑ１，Ｑ２を交互にオン・オフ駆動するための制御信号を作成する。この制御信号は外部からの調光信号に応じて周波数やデューティを可変とされ、放電灯の出力光束を調整可能としている。これにより、調光制御型安定器を構成している。
【０００５】
【発明が解決しようとする課題】
従来の技術による調光制御型安定器に適合定格負荷であるランプＡを用いる場合と、このランプＡとは定格出力違いで同シリーズのランプＢを用いる場合について、調光時の出力光束の違いを図１０（ａ）〜（ｃ）に示す。ここで、ランプＢは定格出力がランプＡよりも低いランプである。
【０００６】
図９の従来例ではインバータ回路の出力電力を制御の対象にしているため、ランプＡ，Ｂを各々点灯させた場合、調光時のランプ消費電力は図１０（ａ）に示すように等しく推移する。しかし、ランプ電流は図１０（ｂ）に示すように、ランプＡとＢとでは異なり、ランプＢに流れるランプ電流がランプＡに流れるランプ電流よりも常に大きくなる。ランプ電流が小さい時ほど光束の変化の傾きが大きいため、調光下限でもランプ電流が小さくならないランプＢは調光下限と全点灯時の調光比が上昇し、図１０（ｃ）に示すように、ランプＡとＢとでは全く違う調光特性となる。
【０００７】
本発明は上述のような点に鑑みてなされたものであり、外部からの調光信号に応じて光出力を制御するインバータ式の放電灯点灯装置において、定格電力は異なるが、定格電流は同じである少なくとも２種類以上の放電灯負荷の光出力を同一の比率で調光制御できるようにすることを課題とする。
【０００８】
【課題を解決するための手段】
請求項１の発明は、外部から入力される調光信号に応じて光出力を制御する調光機能を有し、放電灯の点灯状態を検出した信号を制御回路にフィードバックして制御する放電灯点灯装置であって、対象となる一灯の放電灯のランプ電流のみが流れる経路に挿入した固定抵抗器によりランプ電流と比例した検出電圧を得て制御回路にフィードバックし、その検出電圧が上記調光信号ないし調光信号から生成される電位に比例するように調光され、制御回路の調光動作が連続的に発振しているインバータ回路の発振周波数を変動させることで光出力を変化させることを特徴とする。
【０００９】
請求項２の発明は、請求項１において、出力側に昇圧トランスを具備し、固定抵抗器を昇圧トランスの２次側に挿入したことを特徴とする。
請求項３の発明は、請求項１または２において、固定抵抗器によって得た交流電圧の信号を整流するダイオードを具備し、放電灯を流れるランプ電流を直流電圧に変換して検出することを特徴とする。
請求項４の発明は、請求項３において、固定抵抗器によって得た交流電圧の信号を整流するダイオードにショットキーバリアダイオードを用いたことを特徴とする。
【００１０】
請求項５の発明は、請求項１〜４のいずれかにおいて、固定抵抗器または固定抵抗器とダイオードによって得た電圧を入力するオペアンプを具備し、オペアンプの出力を制御回路部に入力してランプ電流をフィードバック制御することを特徴とする。
請求項６の発明は、請求項５において、固定抵抗器によって得たランプ電流の検出電位を入力したオペアンプが電圧フォロアを構成し、この電圧フォロアの出力を制御回路部に入力してランプ電流をフィードバック制御することを特徴とする。
請求項７の発明は、請求項５において、ランプ電流の検出電位を入力したオペアンプにより理想ダイオードを構成し、その出力を制御回路部に入力してランプ電流をフィードバック制御することを特徴とする。
【００１１】
請求項８の発明は、請求項１〜７のいずれかにおいて、ランプ電流の検出電位に調光段階に関わらず一定の直流電位を加算させることを特徴とする。
請求項９の発明は、請求項８において、一定の直流電位をオペアンプにより加算することを特徴とする。
請求項１０の発明は、請求項８または９において、加算する直流電位の大きさを調整する手段を有することを特徴とする。
請求項１１の発明は、請求項１〜１０のいずれかに記載の放電灯点灯装置を器具本体に収納したことを特徴とする放電灯照明器具である。
【００１２】
【発明の実施の形態】
（実施形態１）
図１に本発明の実施形態１の回路図を示す。この放電灯点灯装置は、スイッチング素子Ｑ１，Ｑ２を交互にオン・オフさせることにより高周波電圧を発生させるインバータ回路を備えており、インバータ回路の出力を昇圧トランスＴにより昇圧して放電灯Ｌａに印加している。インバータ回路の入力部には平滑コンデンサＣ１が設けられている。平滑コンデンサＣ１の負極は接地されている。平滑コンデンサＣ１の正極には第１のスイッチング素子Ｑ１の一端が接続されている。第１のスイッチング素子Ｑ１の他端には第２のスイッチング素子Ｑ２の一端が接続されている。第２のスイッチング素子Ｑ２の他端は平滑コンデンサＣ１の負極に接続されている。第１のスイッチング素子Ｑ１と第２のスイッチング素子Ｑ２の接続点には、直流成分カット用のコンデンサＣ２を介してインダクタＬ１の一端が接続されている。インダクタＬ１の他端はコンデンサＣ３を介して平滑コンデンサＣ１の負極に接続されている。インダクタＬ１とコンデンサＣ３は直列共振回路を構成している。コンデンサＣ３の両端には昇圧トランスＴの第１の巻線Ｎ１が接続されている。第１の巻線Ｎ１の接地側の端子にはランプ電流検出用抵抗Ｒを介して昇圧用の第２の巻線Ｎ２が接続されている。第１の巻線Ｎ１とインダクタＬ１の接続点は放電灯Ｌａの一端に接続されている。放電灯Ｌａの他端は第２の巻線Ｎ２の非接地側の端子に接続されている。
【００１３】
ランプ電流検出用抵抗Ｒには、放電灯Ｌａのランプ電流が流れるから、ランプ電流検出用抵抗Ｒと第２の巻線Ｎ２の接続点ａには、ランプ電流に応じた交流電圧が発生するが、この交流電圧を抵抗Ｒ１を介してショットキーバリアダイオードＤ１，Ｄ２により整流し、直流電圧として制御回路部１にフィードバックしている。ランプ電流検出用抵抗Ｒにはランプ電流と同じ電流が流れるため、ランプ電流に完全に比例した電位を制御回路部１にフィードバックすることができる。なお、制御回路部１のフィードバック端子とグランド間にはフィルタ用のコンデンサを並列接続しても良い。また、このフィルタ用のコンデンサと並列に放電用の抵抗を接続しても良い。さらに、これらのＣＲ素子は制御回路部１に内蔵されていても良い。
【００１４】
この構成によれば、上記従来の技術で説明したランプＡ，Ｂを各々点灯させた場合のランプ消費電力及びランプ電流は図２（ａ），（ｂ）のようになり、同シリーズのランプであればランプ電流：光出力の比率は略同一の曲線を描くため、調光比は図２（ｃ）に示すようにランプＡとＢとで同一の調光比となる。
【００１５】
また、本実施形態では、ランプ電流検出用抵抗Ｒにより得られた交流電位波形をショットキーバリアダイオードＤ１，Ｄ２により整流している。通常、同一の回路により、定格出力の異なるランプに同一のランプ電流を流すと、定格出力の大きなランプの方が出力電力は大きくなり、動作周波数は低くなる。周波数の異なる電位をダイオードにより整流して直流電位に変換すると、図２（ｄ）に示すように、ダイオードのオン電圧により誤差が生じる。本実施形態では、この誤差をできるだけ少なくするために、オン電圧の低いショットキーバリアダイオードを用いている。これにより、図２（ｄ）の波形に示すダイオードのオン電圧は汎用のダイオードを使用するよりも小さくできる。
【００１６】
（実施形態２）
図３に本発明の実施形態２の回路図を示す。この放電灯点灯装置は、スイッチング素子Ｑ１，Ｑ２を交互にオン・オフさせることにより高周波電圧を発生させるインバータ回路を備えており、インバータ回路の出力を昇圧トランスＴにより昇圧して放電灯Ｌａに印加している。インバータ回路の入力部には平滑コンデンサＣ１が設けられている。平滑コンデンサＣ１の負極は接地されている。平滑コンデンサＣ１の正極には第１のスイッチング素子Ｑ１の一端が接続されている。第１のスイッチング素子Ｑ１の他端には第２のスイッチング素子Ｑ２の一端が接続されている。第２のスイッチング素子Ｑ２の他端は平滑コンデンサＣ１の負極に接続されている。第１のスイッチング素子Ｑ１と第２のスイッチング素子Ｑ２の接続点には、直流成分カット用のコンデンサＣ２を介してインダクタＬ１の一端が接続されている。インダクタＬ１の他端はコンデンサＣ３を介して平滑コンデンサＣ１の負極に接続されている。インダクタＬ１とコンデンサＣ３は直列共振回路を構成している。コンデンサＣ３の両端には昇圧トランスＴの第１の巻線Ｎ１が接続されている。第１の巻線Ｎ１の接地側の端子にはランプ電流検出用抵抗Ｒを介して昇圧用の第２の巻線Ｎ２が接続されている。第１の巻線Ｎ１とインダクタＬ１の接続点は放電灯Ｌａの一端に接続されている。放電灯Ｌａの他端は第２の巻線Ｎ２の非接地側の端子に接続されている。
【００１７】
ランプ電流検出用抵抗Ｒと昇圧用の第２の巻線Ｎ２の接続点ａには抵抗Ｒ１の一端が接続されている。抵抗Ｒ１の他端はダイオードＤ１のカソードに接続されている。ダイオードＤ１のアノードは接地されている。ダイオードＤ１のカソードはオペアンプＯＰの非反転入力端子に接続されている。オペアンプＯＰの反転入力端子はオペアンプＯＰの出力端子と接続されており、電圧フォロアを構成している。ただし、このオペアンプＯＰは（正・負の電源ではなく）正の電源のみにより駆動されており、出力電圧を負方向にまで振ることはできない。オペアンプＯＰの出力端子は抵抗Ｒ２の一端に接続されている。抵抗Ｒ２の他端は接地されている。抵抗Ｒ２の両端電圧は制御回路部１のフィードバック端子に入力されている。
【００１８】
本実施形態では、図４（ａ）に示すように、ランプ電流検出用抵抗Ｒに生じた交流電圧を、抵抗Ｒ１を介してダイオードＤ１に印加して半波整流することで、ダイオードＤ１のカソードに図４（ｂ）のような電圧波形を得て、この電圧を正の電源により動作させたオペアンプＯＰに入力し、オペアンプＯＰを電圧フォロアの構成にすることで、オペアンプＯＰの出力側に、図４（ｃ）のような電圧を得て、制御回路部１にフィードバックしている。本実施形態によれば、オペアンプＯＰの入力端子に接続したダイオードＤ１により、図４（ｂ）のように、負の電圧を大部分カットしており、さらに、正の電源により動作させたオペアンプＯＰを電圧フォロアの構成にすることで、図４（ｃ）に示すように、交流電流であるランプ電流をほば完全に直流に整流でき、動作周波数が異なることによるフィードバックの誤差を無くすことができる。
【００１９】
（実施形態３）
図５に本発明の実施形態３の回路図を示す。この放電灯点灯装置は、スイッチング素子Ｑ１，Ｑ２を交互にオン・オフさせることにより高周波電圧を発生させるインバータ回路を備えており、インバータ回路の出力を昇圧トランスＴにより昇圧して放電灯Ｌａに印加している。インバータ回路の入力部には平滑コンデンサＣ１が設けられている。平滑コンデンサＣ１の負極は接地されている。平滑コンデンサＣ１の正極には第１のスイッチング素子Ｑ１の一端が接続されている。第１のスイッチング素子Ｑ１の他端には第２のスイッチング素子Ｑ２の一端が接続されている。第２のスイッチング素子Ｑ２の他端は平滑コンデンサＣ１の負極に接続されている。第１のスイッチング素子Ｑ１と第２のスイッチング素子Ｑ２の接続点には、直流成分カット用のコンデンサＣ２を介してインダクタＬ１の一端が接続されている。インダクタＬ１の他端はコンデンサＣ３を介して平滑コンデンサＣ１の負極に接続されている。インダクタＬ１とコンデンサＣ３は直列共振回路を構成している。コンデンサＣ３の両端には昇圧トランスＴの第１の巻線Ｎ１が接続されている。第１の巻線Ｎ１の接地側の端子にはランプ電流検出用抵抗Ｒを介して昇圧用の第２の巻線Ｎ２が接続されている。第１の巻線Ｎ１とインダクタＬ１の接続点は放電灯Ｌａの一端に接続されている。放電灯Ｌａの他端は第２の巻線Ｎ２の非接地側の端子に接続されている。
【００２０】
ランプ電流検出用抵抗Ｒと第２の巻線Ｎ２の接続点ａはオペアンプＯＰの非反転入力端子に接続されている。オペアンプＯＰの出力端子は、ダイオードＤ１のカソードとダイオードＤ２のアノードに接続されている。ダイオードＤ１のアノードは接地されている。ダイオードＤ２のカソードはオペアンプＯＰの反転入力端子に接続されると共に、抵抗Ｒ２の一端に接続されている。抵抗Ｒ２の他端は接地されている。抵抗Ｒ２の両端電位は、制御回路部１のフィードバック端子に入力されている。
【００２１】
オペアンプＯＰとダイオードＤ１，Ｄ２および抵抗Ｒ２よりなる回路は、理想ダイオードを構成している。本実施形態によれば、交流電流であるランプ電流をほば完全に直流に整流でき、動作周波数が異なることによるフィードバックの誤差を無くすことができる。
【００２２】
（実施形態４）
図６に本発明の実施形態４の回路図を示す。この放電灯点灯装置は、スイッチング素子Ｑ１，Ｑ２を交互にオン・オフさせることにより高周波電圧を発生させるインバータ回路を備えており、インバータ回路の出力を昇圧トランスＴにより昇圧して放電灯Ｌａに印加している。インバータ回路の入力部には平滑コンデンサＣ１が設けられている。平滑コンデンサＣ１の負極は接地されている。平滑コンデンサＣ１の正極には第１のスイッチング素子Ｑ１の一端が接続されている。第１のスイッチング素子Ｑ１の他端には第２のスイッチング素子Ｑ２の一端が接続されている。第２のスイッチング素子Ｑ２の他端は平滑コンデンサＣ１の負極に接続されている。第１のスイッチング素子Ｑ１と第２のスイッチング素子Ｑ２の接続点には、直流成分カット用のコンデンサＣ２を介してインダクタＬ１の一端が接続されている。インダクタＬ１の他端はコンデンサＣ３を介して平滑コンデンサＣ１の負極に接続されている。インダクタＬ１とコンデンサＣ３は直列共振回路を構成している。コンデンサＣ３の両端には昇圧トランスＴの第１の巻線Ｎ１が接続されている。第１の巻線Ｎ１の接地側の端子にはランプ電流検出用抵抗Ｒを介して昇圧用の第２の巻線Ｎ２が接続されている。第１の巻線Ｎ１とインダクタＬ１の接続点は放電灯Ｌａの一端に接続されている。放電灯Ｌａの他端は第２の巻線Ｎ２の非接地側の端子に接続されている。
【００２３】
ランプ電流検出用抵抗Ｒと第２の巻線Ｎ２の接続点ａは抵抗Ｒ１を介して第１のオペアンプＯＰ１の非反転入力端子に接続されている。第１のオペアンプＯＰ１の反転入力端子は出力端子に接続されている。第１のオペアンプＯＰ１の出力端子は抵抗Ｒ２とＲ３の各一端に接続されている。抵抗Ｒ２の他端は接地されており、抵抗Ｒ１の両端電位は制御回路部１のフィードバック端子に入力されている。抵抗Ｒ３の他端は第２のオペアンプＯＰ２の出力端子に接続されている。第２のオペアンプＯＰ２の出力端子は第２のオペアンプＯＰ２の反転入力端子に接続されている。第２のオペアンプＯＰ２の非反転入力端子には、基準電圧Ｖｃｃを固定抵抗Ｒ４と可変抵抗ＶＲで分圧した電圧が印加されている。第１および第２のオペアンプＯＰ１，ＯＰ２は正の電源により動作しており、出力電圧が負方向に振られることはない。
【００２４】
本実施形態では、ランプ電流検出用抵抗Ｒに生じた交流電圧を、正の電源により動作させたオペアンプＯＰ１に入力し、このオペアンプＯＰ１を電圧フォロアの構成にした出力側の電位を、制御回路部１にフィードバックしているものにおいて、フィードバックする電位に調光度合によらず一定量の直流電位を加算したことを特徴とするものであり、加算する直流電位を可変抵抗ＶＲにより調整することができる。
【００２５】
図７（ａ）にフィードバックする電位の推移を示す。調光信号は全点灯時の光束に対する調光下限の光束の比率が１／３となる変化幅であり、直流電圧を加算しない場合にはランプ電流の推移は図７（ｃ）に示すように調光信号と同じ割合で推移する。上記直流電圧を全点灯時のフィードバック電位の１／５だけ加算した場合、ランプ電流は図７（ｂ）に示すように全点灯時に対する調光下限の比率が１／５まで調光できるようになり、またこの比率も上記の可変抵抗ＶＲにより調整が可能である。
本実施形態によれば、調光信号の入力範囲に関わらず、加算する直流電位を調整することでランプの出力範囲を調整することができる。
【００２６】
（実施形態５）
図８に本発明の実施形態５の回路図を示す。この実施形態は、上述の実施形態４の構成を用いた放電灯照明器具の回路図を示す。スイッチング素子Ｑ０による昇圧チョッパーと、スイッチング素子Ｑ１，Ｑ２によるハーフブリッジ回路を組み合わせた電子安定器であり、制御回路部１に入力した調光信号と、ランプ電流を検出した直流電位のフィードバックによりインバータの発振出力の制御を行っている。昇圧トランスＴの二次側に挿入した抵抗Ｒによりランプ電流を交流電圧として検出し、高速デュアルオペアンプの一方（ＯＰ１）を電圧フォロアの構成にして直流電圧に変換して出力している。もう一方のオペアンプ（ＯＰ２）には制御電源Ｖｃｃの一定電圧を分圧して入力し、同じように電圧フォロアを構成して出力している。これら二つの出力を足し合わせて制御回路部１に入力するフィードバック電位を得ている。
【００２７】
外部からの調光信号には、全点灯時から調光下限までＯＮデューティが均一に変化していく電圧波形が入力され、制御回路部１の内部でそれに応じた目標ＤＣ電圧を生成している。制御回路部１のフィードバック端子にフィードバックされた検出ＤＣ電圧がこの目標ＤＣ電圧と等しくなるようにインバータ回路の発振周波数が調整されて、所定の点灯状態を得ている。
【００２８】
【発明の効果】
請求項１〜３の発明によれば、外部からの調光信号に応じて光出力を制御するインバータ式の放電灯点灯装置において、放電灯の点灯状態を検出して制御回路部にフィードバックする信号を放電灯のランプ電流とすることで、定格電力の異なる放電灯であっても、定格電流が同じ放電灯同士であれば、同一の調光曲線が得られるようにしたものであり、少なくとも２種類以上の放電灯負荷の光出力を同一の比率で調光制御できる効果がある。
請求項４の発明によれば、オン電圧の低いショットキーバリアダイオードを用いているので、周波数の異なる電位をダイオードにより整流して直流電位に変換するときのダイオードのオン電圧による誤差を低減できる効果がある。
【００２９】
請求項５〜７の発明によれば、周波数の異なる電位を整流して直流電圧に変換する回路にオペアンプを用いたことにより、ダイオードのオン電圧による誤差を低減できる効果がある。
請求項８〜１０の発明によれば、調光信号の入力範囲に関わらず、加算する直流電位を調整することでランプの出力範囲を調整することができる効果がある。
【図面の簡単な説明】
【図１】
本発明の実施形態１の回路図である。
【図２】
本発明の実施形態１の動作説明図である。
【図３】
本発明の実施形態２の回路図である。
【図４】
本発明の実施形態２の動作説明図である。
【図５】
本発明の実施形態３の回路図である。
【図６】
本発明の実施形態４の回路図である。
【図７】
本発明の実施形態４の動作説明図である。
【図８】
本発明の実施形態５の回路図である。
【図９】
従来例の回路図である。
【図１０】
従来例の動作説明図である。
【符号の説明】Ｑ１　スイッチング素子Ｑ２　スイッチング素子Ｌａ　放電灯Ｃ１　平滑コンデンサＣ２　直流成分カット用コンデンサＣ３　共振用コンデンサＬ１　共振用インダクタＲ　　検出用抵抗Ｔ　　昇圧トランス
【図１】
2004087327.tif 000003
【図２】
2004087327.tif 000004
【図３】
2004087327.tif 000005
【図４】
2004087327.tif 000006
【図５】
2004087327.tif 000007
【図６】
2004087327.tif 000008
【図７】
2004087327.tif 000009
【図８】
2004087327.tif 000010
【図９】
2004087327.tif 000011
【図１０】
2004087327.tif 000012